(57)【要約】      （修正有）【課題】弾性突片と係脱部との係脱により枠本体と天板体とを容易に着脱することができ、使用の利便性を向上することができる収納ケースを提供する。【解決手段】底板、左右の側板１ｂ、後板１ｃからなる前面及び上面が開口した合成樹脂製の枠本体と、枠本体の上面を覆う合成樹脂製の天板体２と、枠本体及び天板体からなる本体Ｄの前面の開口部を介して引出収納自在に設けられ、上面が開口した合成樹脂製の引出体と、枠本体と天板体とを連結可能な取付機構Ｔとからなり、取付機構は、枠本体の左右の側板及び後板の上辺部に弾性突片４を複数個形成し、天板体に弾性突片に係脱可能な係脱部５を形成してなる。【選択図】図５
0003209526.tif 000002
【実用新案登録請求の範囲】
【請求項１】
底板、左右の側板、後板からなる前面及び上面が開口した合成樹脂製の枠本体と、該枠本体の上面を覆う合成樹脂製の天板体と、該枠本体及び天板体からなる本体の前面の開口部を介して引出収納自在に設けられ、上面が開口した合成樹脂製の引出体と、該枠本体と該天板体とを連結可能な取付機構とからなり、上記取付機構として、上記枠本体の左右の側板及び後板の上辺部に弾性突片を複数個形成し、上記天板体に該弾性突片に係脱可能な係脱部を形成してなることを特徴とする収納ケース。
【請求項２】
底板、左右の側板、後板からなる前面及び上面が開口した上下に積み重ね可能な複数個の合成樹脂製の枠本体と、該積み重ねられた最上位の枠本体の上面を覆う合成樹脂製の天板体と、該複数個の枠本体及び天板体からなる本体の前面の複数個の開口部を介してそれぞれ引出収納自在に設けられ、上面が開口した複数個の合成樹脂製の引出体と、該枠本体と該枠本体、及び、該枠本体と該天板体とを連結可能な取付機構とからなり、上記取付機構として、上記各枠本体の左右の側板及び後板の上辺部に弾性突片を複数個形成し、上記天板体及び上記各枠本体の底板に該弾性突片に係脱可能な係脱部を形成してなることを特徴とする収納ケース。
【考案の詳細な説明】
【技術分野】
【０００１】
本考案は、例えば一般家庭に設置されて衣類や各種小物類等を整理収納する際に用いられる収納ケースに関するものである。
【背景技術】
【０００２】
従来、この種の収納ケースとして、底板、左右の側板、後板からなる前面及び上面が開口した合成樹脂製の枠本体と、枠本体の上面を覆う合成樹脂製の天板体と、枠本体及び天板体からなる本体の前面の開口部を介して引出収納自在に設けられ、上面が開口した合成樹脂製の引出体と、枠本体と天板体とを連結可能な取付機構とからなる単一構造のもの、底板、左右の側板、後板からなる前面及び上面が開口した上下に積み重ね可能な複数個の合成樹脂製の枠本体と、積み重ねられた最上位の枠本体の上面を覆う合成樹脂製の天板体と、複数個の枠本体及び天板体からなる本体の前面の複数個の開口部を介してそれぞれ引出収納自在に設けられ、上面が開口した複数個の合成樹脂製の引出体と、枠本体と枠本体、及び、枠本体と天板体とを連結可能な取付機構とからなる多段構造のものが知られている。
【先行技術文献】
【特許文献】
【０００３】
【特許文献１】特許第５８５８４８８号
【考案の概要】
【考案が解決しようとする課題】
【０００４】
しかしながらこれら従来構造の場合、前者の単一構造にあっては、上記枠本体と上記天板体とを連結可能な取付機構の構造において、相互に固着される構造が採用され、枠本体と上記天板体とは一旦取り付けた後は、もはや、両者を取り外すことができず、又、後者の多段構造にあっても、相互に固着される構造が採用され、枠本体と枠本体、及び、枠本体と天板体とは一旦取り付けた後は、もはや、両者を取り外すことができず、部屋の模様替えや引越しに伴い、一段構造を多段構造に変更したり、多段構造を一段構造に変更したりすることができず、使用の利便性が低下しているという不都合を有している。
【課題を解決するための手段】
【０００５】
本考案はこれらの不都合を解決することを目的とするもので、本考案のうちで、請求項１記載の考案は、底板、左右の側板、後板からなる前面及び上面が開口した合成樹脂製の枠本体と、該枠本体の上面を覆う合成樹脂製の天板体と、該枠本体及び天板体からなる本体の前面の開口部を介して引出収納自在に設けられ、上面が開口した合成樹脂製の引出体と、該枠本体と該天板体とを連結可能な取付機構とからなり、上記取付機構として、上記枠本体の左右の側板及び後板の上辺部に弾性突片を複数個形成し、上記天板体に該弾性突片に係脱可能な係脱部を形成してなることを特徴とする収納ケースにある。
【０００６】
又、請求項２記載の考案は、底板、左右の側板、後板からなる前面及び上面が開口した上下に積み重ね可能な複数個の合成樹脂製の枠本体と、該積み重ねられた最上位の枠本体の上面を覆う合成樹脂製の天板体と、該複数個の枠本体及び天板体からなる本体の前面の複数個の開口部を介してそれぞれ引出収納自在に設けられ、上面が開口した複数個の合成樹脂製の引出体と、該枠本体と該枠本体、及び、該枠本体と該天板体とを連結可能な取付機構とからなり、上記取付機構として、上記各枠本体の左右の側板及び後板の上辺部に弾性突片を複数個形成し、上記天板体及び上記各枠本体の底板に該弾性突片に係脱可能な係脱部を形成してなることを特徴とする収納ケースにある。
【考案の効果】
【０００７】
本考案は上述の如く、請求項１記載の考案にあっては、底板、左右の側板、後板からなる前面及び上面が開口した合成樹脂製の枠本体と、枠本体の上面を覆う合成樹脂製の天板体と、枠本体及び天板体からなる本体の前面の開口部を介して引出収納自在に設けられ、上面が開口した合成樹脂製の引出体と、枠本体と天板体とを連結可能な取付機構とからなり、上記取付機構として、上記枠本体の左右の側板及び後板の上辺部に弾性突片を複数個形成し、上記天板体に弾性突片に係脱可能な係脱部を形成してなるから、弾性突片と係脱部との係脱により上記枠本体と上記天板体とを容易に着脱することができ、枠本体と上記天板体とは一旦取り付けた後も両者を取り外すことができ、使用の利便性を向上することができる。
【０００８】
又、請求項２記載の考案にあっては、底板、左右の側板、後板からなる前面及び上面が開口した上下に積み重ね可能な複数個の合成樹脂製の枠本体と、積み重ねられた最上位の枠本体の上面を覆う合成樹脂製の天板体と、複数個の枠本体及び天板体からなる本体の前面の複数個の開口部を介してそれぞれ引出収納自在に設けられ、上面が開口した複数個の合成樹脂製の引出体と、枠本体と枠本体、及び、枠本体と天板体とを連結可能な取付機構とからなり、上記取付機構として、上記各枠本体の左右の側板及び後板の上辺部に弾性突片を複数個形成し、上記天板体及び上記各枠本体の底板に弾性突片に係脱可能な係脱部を形成してなるから、弾性突片と係脱部との係脱により上記枠本体と枠本体、及び、枠本体と上記天板体とを容易に着脱することができ、枠本体と枠本体、及び、上記枠本体と天板体とは一旦取り付けた後も両者を取り外すことができ、枠本体の段数変更を容易に行うことができ、使用の利便性を向上することができる。
【図面の簡単な説明】
【０００９】
【図１】本考案の実施の第一形態例の全体斜視図である。
【図２】本考案の実施の第一形態例の全体側面図である。
【図３】本考案の実施の第一形態例の全体斜視図である。
【図４】本考案の実施の第一形態例の部分分離斜視図である。
【図５】本考案の実施の第一形態例の部分分解斜視図である。
【図６】本考案の実施の第一形態例の部分断面図である。
【図７】本考案の実施の第一形態例の部分側面図である。
【図８】本考案の実施の第二形態例の全体斜視図である。
【図９】本考案の実施の第二形態例の部分分離斜視図である。
【図１０】本考案の実施の第二形態例の部分分解斜視図である。
【図１１】本考案の実施の第二形態例の部分断面図である。
【考案を実施するための形態】
【００１０】
図１乃至図１１は本考案の実施の各種の形態例を示し、図１乃至図７は第一形態例、図８乃至図１１は第二形態例である。
【００１１】
図１乃至図７の第一形態例において、１は枠本体であって、合成樹脂製にして、図１、図３、図４の如く、底板１ａ、左右の側板１ｂ・１ｂ、後板１ｃからなり、前面及び上面が開口した枠状に形成されている。
【００１２】
２は天板体であって、合成樹脂製にして、図１、図３、図４の如く、上記枠本体１の上面を覆って枠本体１に取付機構Ｔにより連結されている。
【００１３】
３は引出体であって、合成樹脂製にして、図１、図３の如く、底板３ａ、前板３ｂ、左右の側板３ｃ・３ｃ、後板３ｄからなり、この場合、底板３ａの左右辺部に左右の側板３ｃ・３ｃ及び後辺部に後板３ｄを一体に形成し、底板３ａ及び左右の側板３ｃ・３ｃの前部に前板３ｂを着脱自在に取り付け、しかして、引出体３は上面が開口した容器状に形成され、上記枠本体１及び天板体２からなる本体Ｄの前面の開口部を介して引出収納自在に設けられ、上記枠本体１、上記天板体２及び上記引出体３により収納ケースＫが形成されることになる。
【００１４】
Ｔは取付機構であって、上記枠本体１と上記天板体２とを連結可能に構成され、上記取付機構Ｔとして、図２、図４の如く、上記枠本体１の左右の側板１ｂ・１ｂに弾性突片４をそれぞれ四個宛計八個形成するとともに後板１ｃの上辺部に弾性突片４を三個形成し、すなわち、上記枠本体１の左右の側板１ｂ・１ｂ及び後板１ｃの上辺部に弾性突片４を計１１個形成し、上記天板体２に弾性突片４に係脱可能な係脱部５を計１１個形成し、上記弾性突片４及び上記係脱部５により上記枠本体１と上記天板体２とを着脱自在に取り付けている。
【００１５】
又、この場合、上記取付機構Ｔとして、図５、図６、図７の如く、上記枠本体１の左右の側板１ｂ・１ｂ及び後板１ｃの上辺部に弾性突片４を一対のスリット溝４ａ・４ａにより計１１個形成し、弾性突片４にそれぞれ係脱凹部４ｂを形成し、上記天板体２に弾性突片４の係脱凹部４ｂに係脱可能な断面三角柱状の係脱部５を形成し、上記弾性突片４の係脱凹部４ｂ及び上記係脱部５により上記枠本体１と上記天板体２とを着脱自在に取り付けている。
【００１６】
６は積重安定機構であって、この場合、図１、図２、図３、図４の如く、上記天板体２の上面に上記引出体３の引出収納方向と直交する方向に延びる凹状溝部６ａ・６ａを形成すると共に上記枠本体１の底板１ａの底面に凹状溝部６ａ・６ａに摺動自在な前後一対ずつの計四個の嵌合部１ｄ・１ｄ・１ｄ・１ｄを設けている。
【００１７】
７は連結機構であって、この場合、例えば、図示省略の二個の収納ケースＫ・Ｋを左右方向の並列状態に連結する構造となっている。
【００１８】
この実施の第一形態例は上記構成であるから、底板１ａ、左右の側板１ｂ・１ｂ、後板１ｃからなる前面及び上面が開口した合成樹脂製の枠本体１と、枠本体１の上面を覆う合成樹脂製の天板体２と、枠本体１及び天板体２からなる本体Ｄの前面の開口部を介して引出収納自在に設けられ、上面が開口した合成樹脂製の引出体３と、枠本体１と天板体２とを連結可能な取付機構Ｔとからなり、上記取付機構Ｔとして、上記枠本体１の左右の側板１ｂ・１ｂに弾性突片４をそれぞれ四個宛計八個形成してなるとともに後板１ｃの上辺部に弾性突片４を三個形成し、すなわち、上記枠本体１の左右の側板１ｂ・１ｂ及び後板１ｃの上辺部に弾性突片４を計１１個形成し、上記天板体２に弾性突片４に係脱可能な係脱部５を計１１個形成し、上記弾性突片４及び上記係脱部５により上記枠本体１と上記天板体２とを着脱自在に取り付けているから、弾性突片４の自己弾性により弾性突片４と係脱部５とは係合して上記枠本体１と上記天板体２とは連結され、この場合、弾性突片４の自己弾性により弾性突片４の係脱凹部４ｂと係脱部５とは係合して上記枠本体１と上記天板体２とは連結され、弾性突片４の自己弾性に抗して弾性突片４を内方に向けて押動することにより弾性突片４と係脱部５との係合は解除されて上記枠本体１と上記天板体２とは離反することになる。
【００１９】
したがって、上記取付機構Ｔとして、上記枠本体１の左右の側板１ｂ・１ｂ及び後板１ｃの上辺部に弾性突片４を計１１個形成し、上記天板体２に弾性突片４に係脱可能な係脱部５を計１１個形成し、上記弾性突片４及び上記係脱部５により上記枠本体１と上記天板体２とを着脱自在に取り付けているから、弾性突片４と係脱部５との係脱により上記枠本体１と上記天板体２とを容易に着脱することができ、枠本体１と上記天板体２とは一旦取り付けた後も両者を取り外すことができ、使用の利便性を向上することができる。
【００２０】
又、この場合、上記積重安定機構６により、例えば、図示省略の複数個の収納ケースＫ・Ｋ・・を積み重ねた積重状態において、上記積重安定機構６の上記凹状溝部６ａ・６ａと上記嵌合部１ｄ・１ｄ・１ｄ・１ｄとの嵌合により、それぞれ上段の収納ケースＫの前側への滑り落ちを防ぐことができ、積み重ねの安定性を高めることができ、かつ、積み重ね状態の安定を維持しつつ収納ケースＫの幅方向、すなわち、引出体３の引出収納方向と直交する左右方向の相互の配置位置を容易に変更することができ、積み重ねの配置位置の融通性を高めることができ、各種の使用態様、設置位置、各種の収納物等に応じて積み重ねの配置位置を変えることができ、収納ケースＫの使用位置の融通性及び快適性を高めることができる。
【００２１】
又、この場合、上記連結機構７により、例えば、図示省略の二個の収納ケースＫ・Ｋを左右方向の並列状態に連結することができ、設置の融通性及び使用の利便性を高めることができる。
【００２２】
図８乃至図１１の第二形態例は別例構造を示し、この場合、上記第一形態例と同様な底板１ａ、左右の側板１ｂ・１ｂ、後板１ｃからなる前面及び上面が開口した上下に積み重ね可能な二個の合成樹脂製の枠本体１・１と、積み重ねられた最上位の枠本体１の上面を覆う上記第一形態例と同様な合成樹脂製の天板体２と、二個の枠本体１・１及び天板体２からなる本体Ｄの前面の二個の開口部を介してそれぞれ引出収納自在に設けられ、上面が開口した二個の合成樹脂製の引出体３・３と、枠本体１と枠本体１、及び、枠本体１と天板体２とを連結可能な取付機構Ｔとからなり、上記取付機構Ｔとして、上記各枠本体１の左右の側板１ｂ・１ｂ及び後板１ｃの上辺部に弾性突片４を一対のスリット溝４ａ・４ａにより計１１個形成し、各弾性突片４に係脱凹部４ｂを形成し、上記天板体２及び上記各枠本体１に弾性突片４に係脱可能な断面三角柱状の係脱部５を計１１個形成し、上記弾性突片４の係脱凹部４ｂ及び上記係脱部５により上記枠本体１と枠本体１、及び、枠本体１と上記天板体２とをそれぞれ着脱自在に取り付けている。
【００２３】
かつ、第二形態例においても、上記積重安定機構６及び上記連結機構７を採用している。
【００２４】
この実施の第二形態例にあっては、図８乃至図１１の如く、上記第一形態例と同様に、上記取付機構Ｔとして、上記各枠本体１の左右の側板１ｂ・１ｂ及び後板１ｃの上辺部に弾性突片４を計１１個形成し、上記天板体２及び上記各枠本体１の底板１ａに弾性突片４に係脱可能な係脱部５を計１１個形成し、上記弾性突片４及び上記係脱部５により上記枠本体１と枠本体１、及び、枠本体１と上記天板体２とを着脱自在に取り付けているから、弾性突片４と係脱部５との係脱により、この場合、上記弾性突片４の係脱凹部４ｂ及び上記係脱部５により、上記枠本体１と枠本体１、及び、枠本体１と上記天板体２とを容易に着脱することができ、枠本体１と枠本体１、及び、上記枠本体１と天板体２とは一旦取り付けた後も両者を取り外すことができ、枠本体１の段数変更を容易に行うことができ、使用の利便性を向上することができる。
【００２５】
尚、本考案は上記実施の形態例のものに限られず、例えば、枠本体１の数、段数、大きさ、天板体２の形状、引出体３の個数、構造は用途に応じて定められるものである。
【００２６】
以上の如く、所期の目的を充分達成することができる。
【符号の説明】
【００２７】
Ｋ    収納ケース
Ｄ    本体
Ｔ    取付機構
１    枠本体
１ａ    底板
１ｂ    側板
１ｃ    後板
２    天板体
３    引出体
４    弾性突片
５    係脱部
【図１】
0003209526.tif 000003
【図２】
0003209526.tif 000004
【図３】
0003209526.tif 000005
【図４】
0003209526.tif 000006
【図５】
0003209526.tif 000007
【図６】
0003209526.tif 000008
【図７】
0003209526.tif 000009
【図８】
0003209526.tif 000010
【図９】
0003209526.tif 000011
【図１０】
0003209526.tif 000012
【図１１】
0003209526.tif 000013